(57)【特許請求の範囲】
【請求項１】
遊技盤ユニットと、
前記遊技盤ユニットを保持する前枠と、
前記前枠の前方に前方開閉可能に揺動支持されてガラスを保持するガラス枠と、
前記ガラス枠の背面側下部に取り付けられて該ガラス枠を介した遊技機内部への不正侵入を防止するために一部が屈曲されて縁状片とされたガラス枠側板金と、を有する遊技機であって、
前記遊技盤ユニットは、
板状の透明な遊技盤と、
該遊技盤上に立設され該遊技盤の遊技領域に遊技球を導く導電性のレール部材と、
前記遊技領域内に設けられた導電性部材と、
前記遊技盤の端面の一部に当接して前記遊技盤を挟みこむように取付けられる導電性の板金部材と、
両端部に接続端子を有する導電ケーブルと、を備え、
前記導電ケーブルの一端部が前記外レール部材の下端部に直接接続されると共に、前記導電ケーブルの他端部が前記板金部材に接続され、
前記板金部材と前記導電性部材とが電気的に接続され、
前記前枠に対して前記ガラス枠が閉じられたときに、前記板金部材が前記縁状片に下から支えられるように当接する、遊技機。
【発明の詳細な説明】
【技術分野】
【０００１】
遊技盤ユニット及び遊技機に関する。
【背景技術】
【０００２】
パチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の景品球（賞球）払出しがされ、一方いずれの入賞口にも入賞せずアウト口に球が流入すれば景品球払出しはされない。遊技者は、弾球における自らの技量を発揮して、又は遊技球の流下における偶然性を利用しつつ遊技球の入賞及び景品球払出しを期待し、遊技を楽しむのである。
【０００３】
このパチンコ機の遊技領域に配置される遊技部品としては、遊技釘等の流路変更部材、遊技球が流入可能な各種入賞口、遊技球の通過を検出する通過ゲート、画像演出を実行する画像表示手段等があり、これらの遊技部品が遊技盤に配置されている。
【０００４】
従来、遊技盤の材質として、木製の合板が多用されていたが、近年は、透明な樹脂製の遊技盤を用いた遊技機が提供されている。例えば、特許文献１には樹脂製の透明板を備えた遊技機が開示されている。ところが、木製合板の表面に化粧板を貼着した遊技盤に比して、樹脂製の遊技盤は、遊技球との摩擦により発生する静電気が遊技盤に帯電し易く、遊技盤に帯電した静電気の放電による遊技盤に配置された各種電気部品への悪影響が生じることがあり、簡便で有効な除電対策が望まれている。特許文献１には照明ユニットの装飾部材を利用した透明遊技盤の除電構造が開示されている。
【先行技術文献】
【特許文献】
【０００５】
【特許文献１】特開２００９−２６８５５２号公報
【発明の概要】
【発明が解決しようとする課題】
【０００６】
しかしながら、特許文献１に記載されている遊技機の除電構造は、複雑で部品点数が多く、遊技機の組立作業が煩瑣であるという課題がある。
【０００７】
本発明は、上記の事情に鑑みてなされたものであり、部品点数が少なく、簡単な構造で組立作業性が良好であり、効果的な除電が行える透明遊技盤を備えた遊技盤ユニット及び遊技機を提供することを例示的課題とする。
【課題を解決するための手段】
【０００８】
上記の課題を解決するために、本発明の例示的側面としての遊技盤ユニットは、板状の透明な遊技盤と、遊技盤上に立設され遊技盤の遊技領域に遊技球を導く導電性の外レール部材と、遊技盤の端面の一部に当接して取付けられる導電性の板金部材と、両端部に接続端子を有する導電ケーブルと、を備えた遊技盤ユニットであって、導電ケーブルの一端部の接続端子が外レール部材の下端部に直接接続されると共に、導電ケーブルの他端部の接続端子が板金部材に接続される。
【０００９】
外レール部材は、遊技球発射ユニットから遊技盤に形成された遊技領域へ向けて発射された遊技球を遊技領域に導く部材であり、帯状の導電性の金属板金等で構成され、遊技盤の上部では略円弧状に湾曲整形されて遊技盤面上に立設して配置される。この構成により、遊技盤の左側から上部にかけての広範な領域において遊技盤の表面に当接する。したがって、遊技盤面に滞留した静電気を効率よく除電することができる。
【００１０】
外レール部材の下端部には、例えば丸端子ハーネス等の導電ケーブルの一方の接続端子が、例えば、ねじ止め又は半田付け等の手段により直接電気的及び機械的に接続される。そして、導電ケーブルの他方の接続端子は、遊技盤の一部の端面に当接して取付けられた導電性の板金部材に電気的に接続される。
【００１１】
導電ケーブルは、遊技盤の裏面側に配線することができる。このように構成することにより、簡単な作業で外レール部材と板金部材の電気的接続を確保することができると共に、遊技者に視認されないように構成することができる。
【００１２】
板金部材は、例えば、導電性の金属板を整形加工して形成することができるものであり、遊技盤の一部の端面に当接するように取付けられる。板金部材は、断面がコ字状になるように整形加工することができる。このように形成された板金部材は、対向する２つの対向面によって遊技盤の表面及び裏面を弾性的に挟持するように容易に遊技盤に取付けることができる。このとき、対向面同士を連結している面が遊技盤の端面に当接するように取付けることができる。
【００１３】
本発明の例示的側面としての遊技盤ユニットは、遊技盤が遊技領域に配置される遊技部品を取付ける取付孔を備え、表面に導電性の鍍金加工が施された遊技部品が導通する鍍金部を遊技盤の表面側及び裏面側に露出するように遊技盤を貫通して取付孔に取付けられ、遊技盤に取付けられた遊技部品の遊技盤の裏面側に露出した鍍金部と板金部材が導電ケーブルにより接続されるように構成することができる。
【００１４】
遊技盤には、例えば、普通入賞口や始動入賞口等の遊技部品を取付けるための取付孔を形成することができる。これらの遊技部品は、略全面に導電性の鍍金加工を施すことができ、遊技盤の取付孔に遊技盤を貫通するように取付けることができるものである。これらの遊技部品は、例えば、遊技領域を流下する遊技球を遊技盤の表面（前面）側から受容して、遊技盤の裏面（後面）側へ導く球流路として機能する。遊技盤の裏面側に露出した遊技部品の鍍金部は遊技盤の表面側の鍍金部と導通している。この裏面側に露出した鍍金部と板金部材とを導電ケーブルによって接続するように構成することができる。したがって、遊技部品が取付けられた近傍の遊技盤面（表面）に滞留した静電気を、遊技部品の鍍金部を通じて遊技盤の裏面から板金部材に導くことができる。
【００１５】
なお、遊技盤上に取付けられる全ての遊技部品と板金部材とを接続するように構成してもよいし、特定の遊技部品のみを板金部材に接続するように構成してもよい。更に、近接配置された複数個の遊技部品同士を導線で接続した後、いずれかの遊技部品と板金部材を接続するように構成してもよい。また、複数個の遊技部品が当接可能な導体板を用いてこの導体板を板金部材に接続するように構成すれば、配線を簡便にすることができる。
【００１６】
また、本発明の例示的側面としての遊技盤ユニットは、遊技盤が遊技領域に配置される遊技部品を取付ける取付孔を備え、表面に導電性の鍍金加工が施された遊技部品が導通する鍍金部を遊技盤の表面側及び裏面側に露出するように遊技盤を貫通して取付孔に取付けられ、遊技盤に取付けられた遊技部品の遊技盤の裏面側に露出した鍍金部の近傍に導電性部材を備え、この導電性部材と板金部材が導電ケーブルにより接続されるように構成することができる。
【００１７】
上記遊技部品の遊技盤の裏面側に露出した鍍金部の近傍に導電性部材を近接配置して、その導電性部材を板金部材に導電ケーブルにより電気的に接続するように構成することにより、裏面側に露出した鍍金部に帯電した静電気により放電された電荷を、避雷針のように導電性部材が受電して板金部材に導くことができる。この構成によれば、複数個の遊技部品に対して１つの導電性部材を近接配置させることができるので、簡単な構造で効果的な除電を行うことができる遊技盤ユニットを提供することができる。
【００１８】
また、本発明の例示的側面としての遊技盤ユニットは、遊技盤上に配置される表面に導電性の鍍金加工が施された装飾部品と、その装飾部品を遊技盤に固定する導電性の固定部材を備え、固定部材が遊技盤の表面側で装飾部品の鍍金部に当接し、かつ、遊技盤を貫通して装飾部品を遊技盤に固定すると共に、遊技盤の裏面側に露出した固定部材と板金部材とが導電ケーブルにより接続されるように構成することができる。
【００１９】
遊技盤には表面に導電性の鍍金加工が施された、例えば、可動役物やランプ、レンズ等の装飾部品を配置することができる。これらの装飾部品を遊技盤に固定するための固定部材として、例えば、ねじ、ボルトとナット、ハトメ等の固定部材を使用することができる。
【００２０】
装飾部品を遊技盤に固定するときに、遊技盤の表面側で装飾部品の鍍金部と固定部材を当接させ、かつ、固定部材が遊技盤を貫通するように構成すると共に、遊技盤の裏面側に露出した固定部材と板金部材とを導電ケーブルで接続するように構成することができるので、簡単な構造で効果的な除電を行うことができる遊技盤ユニットを提供することができる。なお、複数の近接する固定部材を遊技盤の裏面で導通させる導通板を用いて、この導通板と板金部材とを導電ケーブルで接続するように構成してもよい。この構成によれば、遊技盤の裏面の配線をより簡便にすることができる。
【００２１】
また、本発明の例示的側面としての遊技盤ユニットは、遊技盤上に配置される表面に導電性の鍍金加工が施された装飾部品と、その装飾部品を遊技盤に固定する導電性の固定部材を備え、固定部材が遊技盤の表面側で装飾部品の鍍金部に当接し、かつ、遊技盤を貫通して装飾部品を遊技盤に固定すると共に、遊技盤の裏面側に露出した固定部材の近傍に導電性部材を備え、この導電性部材と板金部材が導電ケーブルにより接続されるように構成することができる。
【００２２】
上記装飾部品を遊技盤に固定する固定部材の遊技盤の裏面側に露出した部位の近傍に導電性部材を近接配置して、その導電性部材を板金部材に導電ケーブルにより電気的に接続するように構成することにより、裏面側に露出した固定部材に帯電した静電気により放電された電荷を、避雷針のように導電性部材が受電して板金部材に導くことができる。この構成によれば、複数個の固定部材に対して１つの導電性部材を近接配置させることができるので、簡単な構造で効果的な除電を行うことができる遊技盤ユニットを提供することができる。
【００２３】
また、本発明の例示的側面としての遊技盤ユニットは、遊技盤に遊技釘が配置され、遊技盤は遊技釘と導通する導通手段を備え、その導通手段と板金部材が導電ケーブルで接続されるように構成することができる。
【００２４】
例えば、透明な導電性フィルムを２枚の遊技盤で挟み込み、複数本の遊技釘を少なくとも挟み込まれた導電性フィルムを貫通又は当接するように遊技盤に植立して、この導電性フィルムを導通手段として板金部材に接続するように構成してもよい。また、導電性フィルムの代わりに透明な両面接着シートを用いることもできる。更に、遊技釘の後端部が遊技盤の裏面側に露出する構成としてもよい。
【００２５】
このように構成することにより、遊技釘が植立される遊技盤の広範な領域に滞留する静電気を、簡単な構造で効果的に除電することができる遊技盤ユニットを提供することができる。なお、全ての遊技釘を導通手段と導通させるように構成してもよいし、特定の領域に植立された遊技釘を導通手段と導通させるように構成してもよい。なお、遊技釘には風車３４の軸となる釘等も含まれる。
【００２６】
上記遊技盤ユニットに備えられた板金部材を接地電位に接続するように構成することができる。接地電位として、遊技盤ユニットに接地（アース）電極が備えられている場合はその接地電極に板金部材を接続するように構成してもよいし、遊技盤ユニットが組み込まれる遊技盤ユニット以外の構造体に設けられた接地電位に板金部材を接続するように構成してもよい。
【００２７】
本発明の例示的側面としての遊技機は、上記いずれかの遊技盤ユニットと、遊技盤ユニットを保持する前枠と、透明板を備え遊技盤ユニットの前面側から前枠に着脱可能に取付けられるガラス枠と、遊技球を遊技盤ユニットの遊技領域に向けて発射する発射ユニットと、を備えた遊技機であって、遊技盤ユニットに取り付けられた板金部材はガラス枠に向けて延設された縁状片を備え、ガラス枠は前枠に向けて露出する導電性のガラス枠側板金を備え、前枠にガラス枠を取付けたとき、縁状片とガラス枠側板金とが当接し互いに電気的に接続される。
【００２８】
上記構成によれば、遊技盤ユニットを保持する前枠にガラス枠を取付ける作業において板金部材とガラス枠側板金とが当接して互いに電気的に接続されるので、簡単な構造で組立作業性が良好であり、透明遊技盤の効果的な除電が行える遊技機を提供することができる。
【００２９】
また、板金部材から延設される縁状片は弾性変形可能な形状に成型加工することができるので、前枠にガラス枠を取付ける際に、ガラス枠側板金に対して板金部材の縁状片が弾性的に当接するように構成することができる。この構造により、板金部材とガラス枠側板金との接続をより良好なものとすることができる。
【００３０】
また、ガラス枠側板金を接地電位に接続するように構成することができる。接地電位として、ガラス枠に接地（アース）電極が備えられている場合はその接地電極にガラス枠側板金を接続するように構成してもよいし、ガラス枠以外の構造体に設けられた接地電位にガラス枠側板金を接続するように構成してもよい。
【発明の効果】
【００３１】
部品点数が少なく、簡単な構造で組立作業性が良好であり、効果的な除電が行える透明遊技盤を備えた遊技盤ユニット及び遊技機を提供することができる。
【図面の簡単な説明】
【００３２】
【図１】実施の形態に係る遊技機としてのパチンコ機の正面図である。
【図２】図１に示すパチンコ機の背面図である。
【図３】実施の形態に係る遊技盤ユニットを示す斜視図である。
【図４】図３に示す遊技盤ユニットの背面図である。
【図５】実施の形態に係る板金部材の斜視図及び断面図である。
【図６】実施の形態に係る遊技部品を示す斜視図及び断面図である。
【図７】実施の形態に係る装飾部品を示す正面図及び断面図である。
【図８】実施の形態に係る固定部材と板金部材の接続態様を説明するための図である。
【図９】実施の形態に係る遊技部品と導電部材の配置及び導電部材と板金部材の接続態様を説明するための図である。
【図１０】実施の形態に係る装飾部品の固定部材と導電部材の配置及び導電部材と板金部材の接続態様を説明するための図である。
【図１１】実施の形態に係る遊技釘と導通手段の接続態様及び導通手段と板金部材の接続態様を説明するための図である。
【図１２】実施の形態に係る遊技機のガラス枠を示す背面側斜視図である。
【図１３】実施の形態に係る遊技機のガラス枠側板金と板金部材の当接（接続）態様を説明するための図である。
【実施するための形態】
【００３３】
以下、本発明の実施の形態について図面を用いて説明する。図１は、本発明の実施の形態に係る遊技機としてのパチンコ機２の正面図である。このパチンコ機２は、遊技機枠３、遊技盤ユニット５、ガラス１０、発射ユニット（図示せず）、球皿１４を有している。発射ユニットは、１個ずつ遊技球２３を遊技盤ユニット５に構成される遊技領域１６に向けて発射可能である。
【００３４】
パチンコ機２は、アレンジボール機、雀遊技球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。図柄変動遊技については後述する。
【００３５】
パチンコ機２の遊技機枠３は、後述する遊技盤ユニット５を保持するためのもので、このパチンコ機２の周囲及び前方又はそれに加えて後方を囲むように構成される。遊技機枠３の内部には、遊技盤ユニット５の他にも各種電子基板や遊技球用の経路等各種機構部品が配置され、遊技機枠３によって周囲側面及び前面又はそれに加えて後方からのパチンコ機２内部への不正アクセスが防止されるようになっている。
【００３６】
例えば、パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されてガラス１０とその周囲を装飾する装飾部材３２とを保持するガラス枠１２とを有して遊技機枠３が構成される。
【００３７】
ガラス１０は、遊技盤６に対して一定距離以上離間して配置され、パチンコ機２の前方を覆い、内部に保持された遊技盤６を前方から遊技者が視認することができるようにするための透明部材である。ガラス１０は２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００３８】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００３９】
発射ユニットは、遊技球供給装置（図示せず）によって球皿１４の一部としての上球皿１４ａから発射位置に送り出された遊技球２３を、遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００４０】
遊技盤ユニット５は、表面側の略中央にセンター役物７が配置された遊技盤６を有しており、その遊技盤６には多数の遊技釘２７も配置されている。遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール部材２６ａが遊技盤に対して立設するように配置されている。そして、レール飾り２６の外レール部材２６ａによって画定され、外レール部材２６ａに面した略円形状の領域が遊技領域１６となっている。
【００４１】
本実施の形態において、遊技盤６は透明な樹脂、例えば、アクリル樹脂等を板状に成形した部材を採用している。これにより、遊技者は、遊技盤６を透過して遊技盤６の後方に配置された意匠パネルや演出装置を視認することができるように構成されている。なお、遊技盤６の材質は樹脂に限らず、透明なガラスその他のセラミックス等の素材を用いてもよい。
【００４２】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００４３】
センター役物７は、図柄変動遊技を実現するものである。センター役物７は、遊技盤６の表側に配置される表ユニット７ｅと、遊技盤６の裏側に配置される裏ユニット７ｆと、によって構成されており、表ユニット７ｅと裏ユニット７ｆによって前後方向において遊技盤６を挟んで配置される。表ユニット７ｅは、装飾効果を発揮する装飾部分から構成されており、裏ユニット７ｆには、可動物ユニット４０等各種遊技部分が配置されている。
【００４４】
センター役物７の中央部には、演出表示装置７ａが配置されるとともに、この演出表示装置７ａの表示部７ｂを露出させるための表示開口部７ｄが形成されている。表示開口部７ｄの中央上部には、可動物ユニット４０が設けられている。
【００４５】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、始動入賞口２９への入球を契機として実行される抽選結果を視覚的に演出するための表示図柄が表示される。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００４６】
図２は図１に示すパチンコ機２の背面図である。遊技盤６の裏面側には、パチンコ機２の全体の制御を行う遊技制御手段としての主制御基板（図示せず）を収容した主制御基板ケース３５と、演出表示装置７ａの画像表示や可動物ユニット４０の駆動制御等の演出制御を行う演出制御基板（図示せず）を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技の制御が実現される。更に、遊技盤６の裏面側には、パチンコ機２の遊技状態等の遊技情報を外部に出力するための外部出力端子板３９が設けられている。
【００４７】
図示しない球発射装置により遊技球２３が発射されると、遊技球２３はレール飾り２６の外レール部材２６ａに沿いつつ進行して遊技領域１６内の上部に至る。その後、遊技球２３は、複数の通過軌跡に沿って移動し、あるものはレール飾り２６の外レール部材２６ａに沿って右側に移動し、あるものは遊技釘２７に衝突しつつ遊技領域１６内を下方に流下し、あるものは普通入賞口２８に流入して一定数の賞球の払出契機となり、あるものはいずれの入球装置にも流入せずに遊技領域１６内最下部に位置するアウト口３０に流入してアウト球としてパチンコ機２の外部側へと排出される。
【００４８】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００４９】
次いで、図３ないし図１０の図面を参照して、本実施の形態に係る遊技盤ユニット５の構成について説明する。
【００５０】
図３（ａ）は、本実施の形態に係る遊技盤ユニット５を示す斜視図であり、図３（ｂ）は、図３（ａ）のＡ部を拡大して示す部分拡大図である。図４は図３の遊技盤ユニット５の背面図である。
【００５１】
図３及び図４に示す遊技盤６は、透明な樹脂を板状に成形した部材であり、本実施の形態では、透明なアクリル樹脂を用いている。従来、遊技盤６の材質としては、木製の合板が使用されており、その表面に、様々な意匠やキャラクタが描かれた化粧版を貼着して構成されていた。その場合、遊技盤面６ａに描かれる意匠やキャラクタは、静止している状態であるので、パチンコ機２の大きな領域を占める遊技盤６に対する遊技者の興趣を、長時間にわたり惹起することが困難であるという課題があった。そこで、本実施の形態に係る遊技盤ユニット５のように、透明な遊技盤６を採用することにより、遊技盤６と遊技盤６の背面側に備えられた支持部材により、遊技盤６の背面側に空間を作り、この空間内に、動画像の表示装置や照明演出装置、及び可動的に取り付けられた役物等を配置することにより、遊技盤６を透過して遊技の進行に応じた多彩な演出を遊技者が視認できるように構成している。
【００５２】
本実施の形態に係る遊技盤ユニット５には、遊技盤６の左側から上部にかけて略円弧状に湾曲形成された外レール部材２６ａが立設配置されている。外レール部材２６ａは、発射ユニットから遊技盤６に形成された遊技領域１６へ向けて発射された遊技球２３を遊技領域１６に導く部材であり、帯状の導電性の金属板金等で構成されている。外レール部材２６ａの下端部２６ｂは略直角に屈曲整形されている。この下端部２６ｂには、導電ケーブルとしての丸端子ハーネス４５の一方の接続端子４５ａがねじ４７にて固定され直接電気的及び機械的に接続されている。なお、外レール部材２６ａの下端部２６ｂと導電ケーブルとの接続手段は、例えば半田付け等の手段を用いてもよい。
【００５３】
遊技盤６の下側端面６ｂには、導電性の金属板を成型加工して形成された板金部材５０が取付けられている。図４に示されるように本実施の形態においては、遊技盤６の裏面側において上記丸端子ハーネスの他方の接続端子４５ｂが板金部材５０に電気的に接続されている。このように構成することにより、簡単な作業で外レール部材２６ａと板金部材５０の電気的接続を確保することができると共に、遊技者に視認されないように簡潔に配線を行うことができる。
【００５４】
図５は本実施の形態に係る板金部材を示す図であり、図５（ａ）は板金部材の斜視図であり、図５（ｂ）は板金部材５０を遊技盤６の一部と共に示す断面図である。板金部材５０は、導電性の金属薄板を成型加工して形成される。なお、板金部材５０としては、樹脂成型によって形成した基材の表面に導電性の物質によって、鍍金や蒸着等の手法により導電層を形成したものであってもよい。
【００５５】
板金部材５０は、一対の対向面５１，５２と、これらの対向面５１，５２の一端部側を連結する連結面５３と、を有しており、図５に示されるように断面が略コ字状になるように屈曲成型されている。この対向面５１，５２は対向方向の弾性を備えており、この一対の対向面５１，５２によって、遊技盤６の端部を弾性的に挟持して、板金部材５０が遊技盤６に取り付けられる。このとき、板金部材５０の連結面５３は遊技盤６の端面６ｂに当接されている。板金部材５０は、前方側の対向面５２の上端面から前面側に向けて延設された縁状片５４を備えている。縁状片５４は、水平方向よりも下方に向けて形成されており、縁状片５４の端面部には上方に向けて延設された掬い面５４ａが形成されている。これら縁状片５４及び掬い面５４ａの機能については後述する。
【００５６】
図６（ａ）は、実施の形態に係る遊技部品６５を示す斜視図及び断面図である。図において、遊技部品６５として普通入賞口２８を形成する部品を例示している。遊技部品６５は、遊技球２３を受容する普通入賞口２８を備え、普通入賞口２８に入賞した遊技球２３を遊技盤６の表面側から裏面側へと導く樋状に形成されている。遊技部品６５の略全表面には、外観部品としての美観を高めるために導電性の鍍金が施されている。
【００５７】
遊技部品６５は、図６（ｂ）に示されるように、遊技盤６に穿設形成された取付孔６１に遊技盤６の表面側から挿通されて一部が遊技盤６を貫通して遊技盤６の裏面側に露出する。遊技部品６５の表面には鍍金加工が施されているので、この鍍金部６５ａの一部が遊技盤６の裏面側への露出部６５ａ１として露出する。したがって、遊技盤６の表面に帯電した静電気は鍍金部６５ａを通じて露出部６５ａ１へ導かれる。この露出部６５ａ１に導電ケーブル４６の一方の接続端子４６ａが接続され、他方の接続端子４６ｂが板金部材５０に接続される。これにより、簡単な構成で遊技部品６５の近傍に帯電した静電気は板金部材５０へ導かれる。
【００５８】
なお、遊技盤６上に取付けられる全ての遊技部品６５と板金部材５０とを接続するように構成してもよいし、特定の遊技領域１６に配置された遊技部品６５のみを板金部材５０に接続するように構成してもよい。更に、近接配置された複数個の遊技部品６５同士を導線等で接続した後、いずれかの遊技部品６５と板金部材５０を接続するように構成してもよい。また、複数個の遊技部品６５が当接可能な導体板等を用いてこの導体板等を板金部材５０に接続するように構成すれば、配線を簡便にすることができる。
【００５９】
図７（ａ）は、実施の形態に係る装飾部品７０の一例としてセンター役物７の表ユニット７ｅを示す正面図である。装飾部品７０の略全表面には、外観部品としての美観を高めるために導電性の鍍金が施されている。遊技盤面６ａ上に配置される装飾部品７０の鍍金部７０ａは、遊技盤６の比較的広範な領域で遊技盤面６ａと当接している。したがって、装飾部品７０の表面に形成された鍍金部７０ａには遊技盤６の表面に帯電した静電気が導かれる。
【００６０】
本実施の形態において装飾部品７０を遊技盤６に固定するための固定部材であるボルト７１は、図７（ｂ）に示されるように、遊技盤６の表面側で装飾部品７０の鍍金部７０ａと当接し、遊技盤６を貫通して遊技盤６の裏面側でナット７２と締結して装飾部材７０を遊技盤６に固定している。遊技盤６の裏面側に露出した露出部７１ａ（ボルト７１の先端部）又はナット７２に導電ケーブル４６の一方の接続端子４６ａが接続され、他方の接続端子４６ｂが板金部材５０に接続される。これにより、簡単な構成で装飾部品７０の近傍に帯電した静電気は板金部材５０へ導かれる。
【００６１】
図８は、固定部材の露出部７１ａ又はナット７２と板金部材５０との接続態様を示す遊技盤６の一部の背面図である。図８（ａ）は、個々の露出部７１ａと板金部材５０の接続部５０ａを接続した例を示している。図８（ｂ）は、近接する３つの固定部材（露出部７１ａとナット７２）を導電部材７３で導通させた後、導電部材７３の接続部７３ａと板金部材５０の接続部５０ａとを接続した例を示している。
【００６２】
図９（ａ），（ｂ）は、図６に示した実施の形態における遊技部品６５の遊技盤６の裏面側に露出した露出部６５ａ１の近傍に導電部材７４を配置し、この導電部材７４に導電ケーブル４６の一方の接続端子４６ａが接続され、他方の接続端子４６ｂが板金部材５０に接続される例を示した図である。この構成によれば、露出部６５ａ１に導かれた静電気が大気中に放電されるとき、近接配置された導電部材７４が避雷針のように放電された電荷を受電して板金部材５０に導くことができる。また、図９（ｃ）に示されるように、複数の遊技部品６５に対して１つの導電部材７５を近接配置して、導電部材７５の接続部７５ａと板金部材５０の接続部５０ａとを導電ケーブル４６で接続するように構成してもよい。これにより、簡単な構成で遊技部品６５の近傍に帯電した静電気は板金部材５０へ導かれる。
【００６３】
図１０（ａ），（ｂ）は、図７に示した実施の形態における装飾部品７０を遊技盤６に固定するボルト７１の裏面側に露出した露出部７１ａの近傍に導電部材７４を配置し、この導電部材７４に導電ケーブル４６の一方の接続端子４６ａが接続され、他方の接続端子４６ｂが板金部材５０に接続される例を示した図である。この構成によれば、露出部７１ａに導かれた静電気が大気中に放電されるとき、近接配置された導電部材７４が避雷針のように放電された電荷を受電して板金部材５０に導くことができる。また、図１０（ｃ）に示されるように、複数のボルト７１の露出部７１ａに対して１つの導電部材７６を近接配置して、導電部材７６の接続部７６ａと板金部材５０の接続部５０ａとを導電ケーブル４６で接続するように構成してもよい。これにより、簡単な構成で装飾部品７０の近傍に帯電した静電気は板金部材５０へ導かれる。
【００６４】
図１１は、実施の形態に係る遊技釘２７と導通手段７７，７８，７９の接続態様及び導通手段７７，７８，７９と板金部材５０との接続態様を説明するための図である。
【００６５】
図１１（ａ）において、遊技盤６は透明な第１の遊技盤６ｃと第２の遊技盤６ｄとにより透明な導電性フィルム７９を挟むようにして構成されている。遊技釘２７は、導電性フィルム７９を貫通するように遊技盤６に植立される。導電性フィルム７９は、第２の遊技盤６ｄの所定の位置に接続部７９ａが形成され、この接続部７９ａに導電ケーブル４６の一方の接続端子４６ａが接続され、他方の接続端子４６ｂが板金部材５０に接続されている。
【００６６】
このように構成することにより、遊技釘２７が植立される遊技盤６の広範な領域に滞留する静電気を、簡単な構造で効果的に除電することができる遊技盤ユニット５を提供することができる。なお、全ての遊技釘２７を導電性フィルム（導通手段）７９と導通させるように構成してもよいし、特定の領域に植立された遊技釘２７を導電性フィルム７９と導通させるように構成してもよい。なお、遊技釘２７には風車３４の軸となる釘等も含まれる。また、遊技釘２７は必ずしも導電性フィルム７９を貫通する必要はなく、遊技釘２７の先端部が導電性フィルム７９に当接するように構成してもよい。
【００６７】
図１１（ｂ）は、遊技釘２７が植立された遊技盤６の裏面側に遊技釘２７の先端部が露出する孔部６ｅ，６ｆを設け、それぞれ対応する形状の接続電極７７，７８を遊技釘２７に当接させて、それら接続電極７７，７８に導電ケーブル４６の一方の接続端子４６ａを接続し、他方の接続端子４６ｂを板金部材に接続した態様を示している。遊技盤６に穿設された孔部６ｅと接続電極７７又は孔部６ｆと接続電極７８は本実施の形態における導通手段である。本実施の形態においても、近接する複数本の遊技釘２７を導通させた後まとめて板金部材５０と導電ケーブル４６にて接続するように構成してもよい。
【００６８】
板金部材５０は、遊技盤６のあらゆる領域に帯電する静電気を集約する中継基板として機能する。したがって、板金部材５０は、接地（アース）電位に接続されることが好ましい。遊技盤ユニット５に接地電極が備えられている場合はその接地電極に板金部材５０を接続するように構成してもよいし、遊技盤ユニット５が組み込まれる遊技盤ユニット５以外の構造体に設けられた接地電位に板金部材５０を接続するように構成してもよい。
【００６９】
図１２は、本実施の形態に係るパチンコ機２のガラス枠１２を示す背面側斜視図である。ガラス枠１２の背面側下部には、ガラス枠１２の強度確保のため、また、パチンコ機２の内部への不正器具等の侵入防止のために堅牢なガラス枠側板金８０が取付けられている。ガラス枠側板金８０の上端部から後方（遊技盤ユニット５が位置する方向）に向けて縁状片８１が屈曲形成されている。本実施の形態において、遊技盤ユニット５を保持する前枠９にガラス枠１２が取付けられるとき、すなわち、ガラス枠１２が前枠９に対して閉じられたとき、遊技盤ユニット５に取付けられた板金部材５０の縁状片５４とガラス枠側板金８０の縁状片８１とが当接して互いに電気的に接続されるように構成されている。
【００７０】
図１３は、前枠９にガラス枠１２が取付けられたときの板金部材５０の縁状片５４とガラス枠側板金８０の縁状片８１との位置関係を示す部分断面図である。図１３に示されるように、板金部材５０の縁状片５４は掬い面５４ａにてガラス枠側板金８０の縁状片８１により上方に付勢されて弾性的に当接する。この構造により、板金部材５０とガラス枠側板金８０との接続をより良好なものとすることができる。
【００７１】
本実施の形態において、ガラス枠側板金８０はガラス枠１２に備えられた接地（アース）電極に接続されている。なお、接地電位として、ガラス枠１２に接地（アース）電極が備えられている場合はその接地電極にガラス枠側板金８０を接続するように構成してもよいし、ガラス枠１２以外の構造体に設けられた接地電位にガラス枠側板金８０を接続するように構成してもよい。
【００７２】
本実施の形態に係る遊技盤ユニット５によれば、部品点数が少なく組立作業性が良好で、効果的に除電が行われる遊技盤ユニット５及び遊技機２を提供することができる。
【００７３】
以上、実施の形態を説明したが、本発明はこれらに限定されるものではなく、その要旨の範囲内で様々な変形や変更が可能である。
【符号の説明】
【００７４】
２：パチンコ機（遊技機）
３：遊技機枠
４：外枠（遊技機枠の一部）
５：遊技盤ユニット
６：遊技盤（遊技装置体）
６ａ：遊技盤面
６ｂ：端面
６ｃ：第１の遊技盤
６ｄ：第２の遊技盤
６ｅ，６ｆ：孔部
７：センター役物
７ａ：演出表示装置（画像表示手段）
７ｂ：表示部
７ｃ：表示図柄
７ｄ：表示開口部
７ｅ：表ユニット
７ｆ：裏ユニット
９：前枠（遊技機枠の一部）
１０：ガラス
１２：ガラス枠
１４：球皿
１４ａ：上球皿
１４ｂ：下球皿
１４ｃ：球抜き部材
１５：発射装置ハンドル
１６：遊技領域
２２：ヒンジ
２３：遊技球
２６：レール飾り
２６ａ：外レール部材
２６ｂ：下端部
２７：遊技釘
２８：普通入賞口
２９：始動入賞口
３０：アウト口
３１：大入賞口
３２：装飾部材
３３：ゲート
３４：風車
３５：主制御基板ケース
３６：演出制御基板ケース
３７：払出制御基板ケース
３８：電源基板ケース
３９：外部出力端子板
４０：可動物ユニット
４５：丸端子ハーネス（導電ケーブル）
４５ａ，４５ｂ：接続端子
４６：導電ケーブル
４６ａ：接続端子
４６ｂ：接続端子
４７：ねじ
５０：板金部材
５０ａ：接続部
５１，５２：対向面
５３：連結面
５４：縁状片
５４ａ：掬い面
６１，６２，６３：取付孔
６５：遊技部品（入賞口）
６５ａ：鍍金部
６５ａ１：露出部
７０：装飾部品
７０ａ：鍍金部
７１：ボルト（固定部材）
７１ａ：露出部
７２：ナット（固定部材）
７３：導電部材
７３ａ：接続部
７４：導電部材
７５：導電部材
７５ａ：接続部
７６：導電部材
７６ａ：接続部
７７：接続電極（導通手段）
７８：接続電極（導通手段）
７９：導電性フィルム（導通手段）
７９ａ：接続部
８０：ガラス枠側板金
８１：縁状片
【図１】
0005441123.tif 000002
【図２】
0005441123.tif 000003
【図３】
0005441123.tif 000004
【図４】
0005441123.tif 000005
【図５】
0005441123.tif 000006
【図６】
0005441123.tif 000007
【図７】
0005441123.tif 000008
【図８】
0005441123.tif 000009
【図９】
0005441123.tif 000010
【図１０】
0005441123.tif 000011
【図１１】
0005441123.tif 000012
【図１２】
0005441123.tif 000013
【図１３】
0005441123.tif 000014